(57)【要約】【課題】印刷媒体サイズの混在防止を支援する。【解決手段】端末装置及び画像処理装置と接続された情報処理装置であって、印刷対象の電子データに含まれる１ページ分の電子データを示す印刷対象ページ毎に、該印刷対象ページを前記端末装置から受信する受信手段と、前記受信手段により前記印刷対象ページを受信すると、該印刷対象ページが印刷される印刷媒体の排紙先装置が変化したか否か、及び、前記印刷媒体の媒体サイズが変化したか否かを判定する判定手段と、前記判定手段により前記排紙先装置及び前記媒体サイズの少なくとも一方が変化した場合、前記画像処理装置に対して、前記排紙先装置が異なる前記媒体サイズの混在を許すか否かの判定を要求する要求手段と、前記要求手段による前記判定の結果が、前記排紙先装置が異なる前記媒体サイズの混在を許さないことを示すものである場合、所定の警告画面を表示する表示手段と、を有する。【選択図】図４
2018008511.tif 000002
【特許請求の範囲】
【請求項１】
端末装置及び画像処理装置と接続された情報処理装置であって、
印刷対象の電子データに含まれる１ページ分の電子データを示す印刷対象ページ毎に、該印刷対象ページを前記端末装置から受信する受信手段と、
前記受信手段により前記印刷対象ページを受信すると、該印刷対象ページが印刷される印刷媒体の排紙先装置が変化したか否か、及び、前記印刷媒体の媒体サイズが変化したか否かを判定する判定手段と、
前記判定手段により前記排紙先装置及び前記媒体サイズの少なくとも一方が変化した場合、前記画像処理装置に対して、前記排紙先装置が異なる前記媒体サイズの混在を許すか否かの判定を要求する要求手段と、
前記要求手段による前記判定の結果が、前記排紙先装置が異なる前記媒体サイズの混在を許さないことを示すものである場合、所定の警告画面を表示する表示手段と、
を有する情報処理装置。
【請求項２】
前記要求手段は、
前記画像処理装置に対して、前記排紙先装置が変化したか否か、及び、前記混在を許すか否かの判定を要求し、
前記表示手段は、
前記判定の結果が、前記排紙先装置が変化していない、かつ、前記混在を許さないことを示すものである場合、前記警告画面を表示する、請求項１に記載の情報処理装置。
【請求項３】
前記要求手段は、
更に、前記媒体サイズが変化した場合における該変化の差分が所定の基準値以内であるか否かの判定を要求し、
前記表示手段は、
前記判定の結果が、更に、前記差分が所定の基準値以内であることを示すものでない場合、前記警告画面を表示する、請求項２に記載の情報処理装置。
【請求項４】
前記受信手段により前記印刷対象ページを受信すると、該印刷対象ページのページ番号と、前記印刷対象ページが印刷される前記印刷媒体の排紙先装置を示す情報と、前記印刷媒体の媒体サイズを示す情報とを含む印刷対象ページテーブルを作成する作成手段を有し、
前記判定手段は、
前記受信手段により受信した前記印刷対象ページのページ番号を含む第１の印刷対象ページテーブルと、前記ページ番号の１つ前のページ番号を含む第２の印刷対象ページテーブルとを参照して、前記排紙先装置が変化したか否か、及び、前記媒体サイズが変化したか否かを判定する、請求項１乃至３の何れか一項に記載の情報処理装置。
【請求項５】
前記受信手段は、
前記端末装置から送信された前記印刷対象ページを受信し、
前記表示手段は、
前記要求手段による前記判定の結果が、前記排紙先装置が異なる前記媒体サイズの混在を許さないことを示すものである場合、所定の警告画面を表示すると共に、前記端末装置に前記印刷対象ページの送信を中断させる、請求項１乃至４の何れか一項に記載の情報処理装置。
【請求項６】
前記要求手段は、
前記印刷対象ページが印刷される前記印刷媒体の排紙先装置を示す情報と、前記印刷媒体の媒体サイズを示す情報とを含む要求を前記画像処理装置に対して送信することにより、前記判定を要求する、請求項１乃至５の何れか一項に記載の情報処理装置。
【請求項７】
前記表示手段は、
前記警告画面を前記端末装置に表示させる、請求項１乃至６の何れか一項に記載の情報処理装置。
【請求項８】
前記画像処理装置は、プロダクションプリンタであり、
前記排紙先装置は、スタッカ装置である、請求項１乃至７の何れか一項に記載の情報処理装置。
【請求項９】
ユーザが操作する端末装置と、画像処理装置と、該画像処理装置を制御する制御装置とを含む情報処理システムであって、
印刷対象の電子データに含まれる１ページ分の電子データを示す印刷対象ページ毎に、該印刷対象ページを前記端末装置から受信する受信手段と、
前記受信手段により前記印刷対象ページを受信すると、該印刷対象ページが印刷される印刷媒体の排紙先装置が変化したか否か、及び、前記印刷媒体の媒体サイズが変化したか否かを判定する第１の判定手段と、
前記第１の判定手段により前記排紙先装置及び前記媒体サイズの少なくとも一方が変化した場合、前記排紙先装置が異なる前記媒体サイズの混在を許すか否かを判定する第２の判定手段と、
前記第２の判定手段により前記排紙先装置が異なる前記媒体サイズの混在を許さないと判定された場合、所定の警告画面を表示する表示手段と、
を有する情報処理システム。
【請求項１０】
端末装置及び画像処理装置と接続された情報処理装置を、
印刷対象の電子データに含まれる１ページ分の電子データを示す印刷対象ページ毎に、該印刷対象ページを前記端末装置から受信する受信手段、
前記受信手段により前記印刷対象ページを受信すると、該印刷対象ページが印刷される印刷媒体の排紙先装置が変化したか否か、及び、前記印刷媒体の媒体サイズが変化したか否かを判定する判定手段、
前記判定手段により前記排紙先装置及び前記媒体サイズの少なくとも一方が変化した場合、前記画像処理装置に対して、前記排紙先装置が異なる前記媒体サイズの混在を許すか否かの判定を要求する要求手段、
前記要求手段による前記判定の結果が、前記排紙先装置が異なる前記媒体サイズの混在を許さないことを示すものである場合、所定の警告画面を表示する表示手段、
として機能させるためのプログラム。
【請求項１１】
ユーザが操作する端末装置と、画像処理装置と、該画像処理装置を制御する制御装置とを含む情報処理システムに用いられる情報処理方法であって、
印刷対象の電子データに含まれる１ページ分の電子データを示す印刷対象ページ毎に、該印刷対象ページを前記端末装置から受信する受信手順と、
前記受信手順により前記印刷対象ページを受信すると、該印刷対象ページが印刷される印刷媒体の排紙先装置が変化したか否か、及び、前記印刷媒体の媒体サイズが変化したか否かを判定する第１の判定手順と、
前記第１の判定手順により前記排紙先装置及び前記媒体サイズの少なくとも一方が変化した場合、前記排紙先装置が異なる前記媒体サイズの混在を許すか否かを判定する第２の判定手順と、
前記第２の判定手順により前記排紙先装置が異なる前記媒体サイズの混在を許さないと判定された場合、所定の警告画面を表示する表示手順と、
を有する情報処理方法。
【請求項１２】
端末装置及び画像処理装置と接続された情報処理装置であって、
印刷対象の電子データに含まれる１ページ分の電子データを示す印刷対象ページ毎に、該印刷対象ページを前記端末装置から受信する受信手段と、
前記受信手段により前記印刷対象ページを受信すると、該印刷対象ページが印刷される印刷媒体の排紙先装置が変化したか否か、及び、前記印刷媒体の媒体サイズが変化したか否かを判定する第１の判定手段と、
前記第１の判定手段により前記排紙先装置及び前記媒体サイズの少なくとも一方が変化した場合、前記画像処理装置に対して、前記排紙先装置が異なる前記媒体サイズの混在を許すか否かを判定する第２の判定手段と、
前記第２の判定手段による前記判定の結果が、前記排紙先装置が異なる前記媒体サイズの混在を許さないことを示すものである場合、所定の警告画面を表示する表示手段と、
を有する情報処理装置。
【発明の詳細な説明】
【技術分野】
【０００１】
本発明は、情報処理装置、情報処理システム、情報処理方法、及びプログラムに関する。
【背景技術】
【０００２】
プロダクションプリンティング等の印刷業務では、大量の印刷物を格納するために、スタッカと呼ばれる大容量の排紙装置が用いられることがある。ユーザにより作成された印刷ジョブは、印刷装置で用紙に印刷されて、スタッカに積載される。
【０００３】
また、先行する印刷ジョブの印刷物がスタッカに積載されている状態で、次の印刷ジョブの印刷物を同じスタッカに排紙させるか否かをユーザに選択させることができる技術が知られている（例えば特許文献１参照）。
【発明の概要】
【発明が解決しようとする課題】
【０００４】
しかしながら、上記の従来技術では、１つの印刷ジョブにおいて、用紙サイズの異なる用紙への印刷が行われるような場合には、異なる用紙サイズの印刷物がスタッカに積載される。このため、スタッカに積載された印刷物の用紙崩れ等が発生することがあった。
【０００５】
例えば、１つの印刷ジョブにおいて、用紙サイズがＡ４の用紙への印刷と、用紙サイズがＡ３の用紙への印刷とが行われるような場合、Ａ４の印刷物の上に積載されたＡ３の印刷物の束が崩れてしまうことがあった。
【０００６】
このため、印刷物の仕分け作業に多くの時間を要したり、ジャム（用紙詰まり）が発生したりする場合があった。
【０００７】
本発明の一実施形態は、上記の点に鑑みてなされたもので、印刷媒体サイズの混在防止を支援することを目的とする。
【課題を解決するための手段】
【０００８】
上記目的を達成するため、本発明の一実施形態は、端末装置及び画像処理装置と接続された情報処理装置であって、印刷対象の電子データに含まれる１ページ分の電子データを示す印刷対象ページ毎に、該印刷対象ページを前記端末装置から受信する受信手段と、前記受信手段により前記印刷対象ページを受信すると、該印刷対象ページが印刷される印刷媒体の排紙先装置が変化したか否か、及び、前記印刷媒体の媒体サイズが変化したか否かを判定する判定手段と、前記判定手段により前記排紙先装置及び前記媒体サイズの少なくとも一方が変化した場合、前記画像処理装置に対して、前記排紙先装置が異なる前記媒体サイズの混在を許すか否かの判定を要求する要求手段と、前記要求手段による前記判定の結果が、前記排紙先装置が異なる前記媒体サイズの混在を許さないことを示すものである場合、所定の警告画面を表示する表示手段と、を有する。
【発明の効果】
【０００９】
本発明の一実施形態によれば、印刷媒体サイズの混在防止を支援することができる。
【図面の簡単な説明】
【００１０】
【図１】第一の実施形態に係る印刷システムの一例のシステム構成を示す図である。
【図２】第一の実施形態に係る制御装置の一例のハードウェア構成を示す図である。
【図３】第一の実施形態に係る印刷装置の一例のハードウェア構成を示す図である。
【図４】第一の実施形態に係る制御装置、印刷装置、及び端末装置の一例の機能構成を示す図である。
【図５】第一の実施形態に係る印刷装置で印刷するための全体処理の一例を示すシーケンス図である。
【図６】印刷対象ページテーブルの一例を示す図である。
【図７】警告画面の一例を示す図である。
【図８】印刷ページテーブルの一例を示す図である。
【図９】第一の実施形態に係るスタッカ使用要求の送信判定処理の一例を示すフローチャートである。
【図１０】第一の実施形態に係るスタッカ使用応答の作成処理の一例を示すフローチャートである。
【図１１】第一の実施形態に係る混在可否テーブルの一例を示す図である。
【図１２】第一の実施形態に係る印刷装置で印刷するための全体処理の他の例を示すシーケンス図である。
【図１３】警告画面が表示されている場合に、排紙先のスタッカから印刷物を取り除いた後の処理の一例を示すシーケンス図である。
【図１４】警告画面が表示されている場合に、排紙先のスタッカから印刷物を取り除いた後の処理の他の例を示すシーケンス図である。
【図１５】第二の実施形態に係る制御装置、印刷装置、及び端末装置の一例の機能構成を示す図である。
【図１６】第二の実施形態に係るスタッカ使用応答の作成処理の一例を示すフローチャートである。
【図１７】第二の実施形態に係る混在可否テーブルの一例を示す図である。
【図１８】基準値の設定処理の一例を示すシーケンス図である。
【図１９】基準値設定画面の一例を示す図である。
【図２０】第三の実施形態に係る制御装置、印刷装置、及び端末装置の一例の機能構成を示す図である。
【図２１】混在可否テーブルの更新処理の一例を示すシーケンス図である。
【図２２】第三の実施形態に係る印刷装置で印刷するための全体処理の一例を示すシーケンス図である。
【図２３】スタッカ使用判定処理の一例を示すフローチャートである。
【発明を実施するための形態】
【００１１】
［第一の実施形態］
以下、本発明の実施形態について、図面を参照しながら詳細に説明する。
【００１２】
＜システム構成＞
まず、本実施形態に係る印刷システム１のシステム構成について、図１を参照しながら説明する。図１は、本実施形態に係る印刷システム１の一例のシステム構成を示す図である。
【００１３】
図１に示すように、本実施形態に係る印刷システム１は、制御装置１０と、印刷装置２０と、１台以上のスタッカ３０と、１台以上の端末装置４０とを有する。ここで、制御装置１０と端末装置４０とは、ＬＡＮ（Local Area Network）等のネットワーク５０を介して通信可能に接続されている。また、制御装置１０と印刷装置２０とは、専用線６０を介して通信可能に接続されている。
【００１４】
制御装置１０は、例えば、ＤＦＥ（Digital Front End）等であり、ＲＩＰ（Raster Image Processor）処理等を行う情報処理装置である。すなわち、制御装置１０は、印刷ジョブとして、端末装置４０から印刷対象ページの印刷要求を受信する。そして、制御装置１０は、当該印刷要求に含まれる印刷対象ページをＲＩＰ処理して、印刷ページを作成する。
【００１５】
なお、印刷対象ページとは、ユーザにより指定された印刷対象の電子データに含まれる１ページ分のデータ（ページデータ）である。また、印刷データとは、印刷対象ページをＲＩＰ処理することにより作成されるラスタ画像データ等である。
【００１６】
このとき、本実施形態に係る制御装置１０は、印刷物の排紙先が同一のスタッカ３０である場合において、例えば、Ｎ−１ページ目の印刷対象ページの用紙サイズと、Ｎページ目の印刷対象ページの用紙サイズとが異なるか否かを判定する。そして、本実施形態に係る制御装置１０は、これらの用紙サイズが異なる場合であって、印刷物の排紙先となるスタッカ３０が異なる用紙サイズの混在を許可していない場合、所定の警告画面を制御装置１０又は端末装置４０に表示する。なお、所定の警告画面は、制御装置１０及び端末装置４０の両方に表示されても良い。
【００１７】
このように、本実施形態に係る制御装置１０は、異なる用紙サイズの混在を許可していないスタッカ３０が排紙先となっている場合で、かつ、異なる用紙サイズの混在が発生する場合には、事前に警告画面を表示する。これにより、ユーザは、例えば、スタッカ３０から印刷物を取り除いたり、印刷ジョブをキャンセルしたりすることで、異なる用紙サイズの印刷物が混在しないようにすることができる。
【００１８】
印刷装置２０は、例えば、複合機やデジタル印刷機等であり、制御装置１０のＲＩＰ処理等により作成された印刷ページを、用紙等の印刷媒体に印刷する画像形成装置である。印刷装置２０は、印刷ページを印刷媒体に印刷することにより作成した印刷物を、当該印刷装置２０に接続されたスタッカ３０に排紙する。
【００１９】
また、本実施形態に係る印刷装置２０は、制御装置１０からの要求に応じて、印刷物の排紙先となっているスタッカ３０が異なる用紙サイズの混在を許可しているか否か等を判定する。
【００２０】
なお、本実施形態に係る印刷装置２０は、紙等の用紙を印刷媒体として印刷物を作成し、スタッカ３０に排紙するものとして説明するが、印刷媒体は、紙に限られない。印刷装置２０は、印刷媒体として、例えば、布、樹脂等のシート材、プラスチック、銅箔、プリプレグ等であっても良い。したがって、印刷装置２０は、これらの印刷媒体に印刷することにより作成した印刷物をスタッカ３０に排出しても良い。
【００２１】
端末装置４０は、ユーザが操作するノート型ＰＣ（パーソナルコンピュータ）、デスクトップ型ＰＣ、スマートフォン、タブレット端末、携帯電話等の情報処理装置である。ユーザは、端末装置４０を操作して、例えば、所望の電子データに対して印刷指示を行うことにより、印刷ジョブを作成することができる。
【００２２】
なお、図１に示す印刷システム１は、一例であって、他の構成であっても良い。例えば、印刷システム１は、端末装置４０を有しない構成であっても良い。また、例えば、印刷システム１は、複数の制御装置１０や複数の印刷装置２０を有する構成であっても良い。
【００２３】
＜ハードウェア構成＞
次に、本実施形態に係る制御装置１０のハードウェア構成について、図２を参照しながら説明する。図２は、本実施形態に係る制御装置１０の一例のハードウェア構成を示す図である。
【００２４】
図２に示すように、制御装置１０は、入力装置１１と、表示装置１２と、ＲＡＭ（Random Access Memory）１３と、ＲＯＭ（Read Only Memory）１４と、ＣＰＵ（Central Processing Unit）１５とを有する。また、制御装置１０は、外部Ｉ／Ｆ１６と、通信Ｉ／Ｆ１７と、専用Ｉ／Ｆ１８と、ＨＤＤ（Hard Disk Drive）１９とを有する。さらに、これら各ハードウェアは、バスＢ１により相互に接続されている。
【００２５】
入力装置１１は、キーボードやマウス、タッチパネル等であり、各種操作を入力するのに用いられる。表示装置１２は、ディスプレイ等であり、各種の処理結果を表示する。なお、入力装置１１及び表示装置１２の少なくとも一方は、必要なときにバスＢ１に接続して利用する形態であっても良い。
【００２６】
ＲＡＭ１３は、プログラムやデータを一時保存する揮発性の半導体メモリである。ＲＯＭ１４は、電源を切ってもデータを保持することができる不揮発性の半導体メモリである。ＣＰＵ１５は、例えば、ＨＤＤ１９やＲＯＭ１４等からプログラムやデータをＲＡＭ１３上に読み出して、各種処理を実行する演算装置である。
【００２７】
外部Ｉ／Ｆ１６は、外部装置とのインタフェースである。外部装置には、例えば、ＣＤ（Compact Disk）やＤＶＤ（Digital Versatile Disk）、ＳＤメモリカード(SD memory card）、ＵＳＢメモリ（Universal Serial Bus memory）等の記録媒体１６ａがある。制御装置１０は、外部Ｉ／Ｆ１６を介して、記録媒体１６ａの読み取りや書き込みを行うことができる。
【００２８】
通信Ｉ／Ｆ１７は、制御装置１０をネットワーク５０に接続するためのインタフェースである。制御装置１０は、通信Ｉ／Ｆ１７を介して、端末装置４０から印刷ジョブの開始要求や印刷対象ページの印刷要求等を受信することができる。
【００２９】
専用Ｉ／Ｆ１８は、制御装置１０を専用線６０に接続するためのインタフェースである。制御装置１０は、専用Ｉ／Ｆ１８を介して、印刷ページの印刷要求等を印刷装置２０に送信することができる。
【００３０】
ＨＤＤ１９は、プログラムやデータを格納している不揮発性のメモリである。ＨＤＤ１９に格納されるプログラムやデータには、制御装置１０の全体を制御する基本ソフトウェアであるＯＳ（Operating System）やＯＳ上で動作する各種アプリケーションプログラム等がある。
【００３１】
本実施形態に係る制御装置１０は、図２に示すハードウェア構成により、後述する各種処理を実現することができる。なお、端末装置４０は、専用Ｉ／Ｆ１８を有しない点を除けば、制御装置１０と同様のハードウェア構成を有する。
【００３２】
次に、本実施形態に係る印刷装置２０のハードウェア構成について、図３を参照しながら説明する。図３は、本実施形態に係る印刷装置２０の一例のハードウェア構成を示す図である。
【００３３】
図３に示すように、印刷装置２０は、ＲＡＭ２１と、ＲＯＭ２２と、ＣＰＵ２３と、専用Ｉ／Ｆ２４と、外部Ｉ／Ｆ２５と、操作パネル２６と、ＨＤＤ２７と、プロッタ２８とを有する。これら各ハードウェアは、バスＢ２により相互に接続されている。
【００３４】
ＲＡＭ２１は、プログラムやデータを一時保存する揮発性の半導体メモリである。ＲＯＭ２２は、電源を切ってもデータを保持することができる不揮発性の半導体メモリである。ＣＰＵ２３は、例えば、ＨＤＤ２７やＲＯＭ２２等からプログラムやデータをＲＡＭ２１上に読み出して、各種処理を実行する演算装置である。
【００３５】
専用Ｉ／Ｆ２４は、印刷装置２０を専用線６０に接続するためのインタフェースである。印刷装置２０は、専用Ｉ／Ｆ２４を介して、印刷ページの印刷要求等を制御装置１０から受信することができる。
【００３６】
外部Ｉ／Ｆ２５は、外部装置とのインタフェースである。外部装置には、例えば、ＣＤやＤＶＤ、ＳＤメモリカード、ＵＳＢメモリ等の記録媒体２５ａがある。印刷装置２０は、外部Ｉ／Ｆ２５を介して、記録媒体２５ａの読み取りや書き込みを行うことができる。
【００３７】
操作パネル２６は、各種操作を入力するためのタッチパネルと、各種の処理結果を表示するディスプレイとを備える入出力装置である。
【００３８】
ＨＤＤ２７は、プログラムやデータを格納している不揮発性のメモリである。ＨＤＤ２７に格納されるプログラムやデータには、印刷装置２０の全体を制御する基本ソフトウェアであるＯＳやＯＳ上で動作する各種アプリケーションプログラム等がある。
【００３９】
プロッタ２８は、画像形成部を備えており、用紙等の印刷媒体に出力画像を形成する。出力画像を形成する方式には、例えば、電子写真方式やインクジェット方式等がある。
【００４０】
本実施形態に係る印刷装置２０は、図３に示すハードウェア構成により、後述する各種処理を実現することができる。
【００４１】
＜機能構成＞
次に、本実施形態に係る制御装置１０、印刷装置２０、及び端末装置４０の機能構成について、図４を参照しながら説明する。図４は、本実施形態に係る制御装置１０、印刷装置２０、及び端末装置４０の一例の機能構成を示す図である。
【００４２】
図４に示すように、本実施形態に係る端末装置４０は、入力受付部４０１と、ジョブ処理部４０２と、表示制御部４０３と、通信部４０４とを有する。これら各機能部は、端末装置４０にインストールされた１以上のプログラムが、ＣＰＵ１５に実行させる処理により実現される。
【００４３】
入力受付部４０１は、ユーザからの各種操作の入力を受け付ける。例えば、入力受付部４０１は、電子データに対する印刷指示を示す操作（印刷指示操作）の入力を受け付ける。
【００４４】
ジョブ処理部４０２は、入力受付部４０１により印刷指示操作が受け付けられると、印刷指示が行われた電子データ（すなわち、印刷対象の電子データ）を印刷するための印刷ジョブを作成する。そして、ジョブ処理部４０２は、通信部４０４を介して、ジョブの開始要求を送信すると共に、印刷対象の電子データに含まれるページデータ（すなわち、印刷対象ページ）の印刷要求を送信する。
【００４５】
表示制御部４０３は、各種画面を表示する。例えば、表示制御部４０３は、制御装置１０からの要求に応じて、異なる用紙サイズの印刷物がスタッカ３０に混在することを防止させるための警告画面を表示させる。
【００４６】
通信部４０４は、制御装置１０との間で各種データの送受信を行う。例えば、通信部４０４は、ジョブの開始要求を制御装置１０に送信する。また、例えば、通信部４０４は、印刷対象ページの印刷要求を制御装置１０に送信する。
【００４７】
図４に示すように、本実施形態に係る制御装置１０は、通信部１０１と、描画部１０２と、使用要求処理部１０３と、ＵＩ制御部１０４とを有する。これら各機能部は、制御装置１０にインストールされた１以上のプログラムが、ＣＰＵ１５に実行させる処理により実現される。
【００４８】
また、本実施形態に係る制御装置１０は、印刷対象ページテーブル記憶部１０５を有する。当該記憶部は、例えば、ＨＤＤ１９を用いて実現可能である。なお、当該記憶部は、例えば、制御装置１０とネットワーク５０を介して接続される記憶装置等を用いて実現されていても良い。
【００４９】
通信部１０１は、端末装置４０及び印刷装置２０との間で各種データの送受信を行う。例えば、通信部１０１は、ジョブの開始要求や印刷対象ページの印刷要求を端末装置４０から受信する。また、例えば、通信部１０１は、後述するスタッカ使用要求や印刷ページの印刷要求を印刷装置２０に送信する。
【００５０】
描画部１０２は、通信部１０１を介して、印刷対象ページの印刷要求を受信すると、当該印刷要求に含まれる印刷対象ページをＲＩＰ処理して、印刷ページを作成する。
【００５１】
また、描画部１０２は、端末装置４０から受信した印刷対象ページの印刷要求に含まれる印刷対象ページ毎に、印刷対象ページテーブル１０００を作成して、印刷対象ページテーブル記憶部１０５に記憶させる。なお、印刷対象ページテーブル１０００とは、印刷対象ページに関する情報（例えば、ジョブＩＤやページＩＤ、排紙先のスタッカ３０、用紙サイズ等）が格納されているテーブルである。
【００５２】
使用要求処理部１０３は、スタッカ使用要求を送信するための処理、及びスタッカ使用要求に対する応答（スタッカ使用応答）を受信した後の処理を行う。ここで、使用要求処理部１０３は、要求判定部１１１と、要求作成部１１２と、結果判定部１１３と、表示要求部１１４とを有する。
【００５３】
要求判定部１１１は、スタッカ使用要求を印刷装置２０に送信するか否かを判定する。ここで、要求判定部１１１は、印刷対象ページテーブル１０００を参照して、排紙先のスタッカ３０が異なるか否か、及び印刷対象ページの用紙サイズが異なるか否かを判定することにより、スタッカ使用要求を印刷装置２０に送信するか否かを判定する。
【００５４】
すなわち、要求判定部１１１は、ｎを２以上の整数として、ｎページ目の印刷対象ページと、ｎ−１ページ目の印刷対象ページとの排紙先のスタッカ３０が異なるか否か、及び用紙サイズが異なるか否かを判定する。これにより、要求判定部１１１は、スタッカ使用要求を印刷装置２０に送信するか否かを判定する。
【００５５】
要求作成部１１２は、要求判定部１１１によりスタッカ使用要求を印刷装置２０に送信すると判定された場合、スタッカ使用要求を作成する。ここで、スタッカ使用要求とは、当該スタッカ使用要求に係るスタッカ３０を使用するための要求であり、排紙先のスタッカ３０を識別する情報と、当該スタッカ３０に排紙する印刷物の用紙サイズとが含まれる。
【００５６】
結果判定部１１３は、スタッカ使用応答の応答結果を判定する。すなわち、結果判定部１１３は、スタッカ使用応答が、スタッカ３０の使用を許可することを示す「継続」又はスタッカ３０の使用を許可しないことを示す「保留」のいずれであるかを判定する。
【００５７】
なお、後述するように、印刷装置２０は、スタッカ使用要求を受信すると、排紙先のスタッカ３０が用紙サイズの混在を許可しているか否か等を判定して、当該判定結果に応じて、「継続」又は「保留」を示すスタッカ使用応答を送信する。
【００５８】
表示要求部１１４は、結果判定部１１３によりスタッカ使用応答の応答結果が「保留」であると判定された場合、所定の警告画面を端末装置４０に表示させるための警告画面の表示要求を送信する。これにより、端末装置４０には、異なる用紙サイズの印刷物がスタッカ３０に混在することを防止させるための警告画面が表示される。
【００５９】
印刷対象ページテーブル記憶部１０５は、印刷対象ページ毎に、印刷対象ページテーブル１０００を記憶する。なお、印刷対象ページテーブル１０００の詳細については後述する。
【００６０】
ＵＩ制御部１０４は、ユーザからの各種操作の入力を受け付けると共に、各種画面を表示する。例えば、ＵＩ制御部１０４は、使用要求処理部１０３の結果判定部１１３によりスタッカ使用応答の応答結果が「保留」であると判定された場合、所定の警告画面を表示する。これにより、制御装置１０には、異なる用紙サイズの印刷物がスタッカ３０に混在することを防止させるための警告画面が表示される。
【００６１】
図４に示すように、本実施形態に係る印刷装置２０は、通信部２０１と、使用応答処理部２０２と、印刷処理部２０３と、スタッカ監視部２０４とを有する。これら各機能部は、印刷装置２０にインストールされた１以上のプログラムが、ＣＰＵ２３に実行させる処理により実現される。
【００６２】
また、本実施形態に係る印刷装置２０は、印刷ページテーブル記憶部２０５と、混在可否テーブル記憶部２０６とを有する。これら各記憶部は、例えば、ＨＤＤ２７を用いて実現可能である。
【００６３】
通信部２０１は、制御装置１０との間で各種データの送受信を行う。例えば、通信部２０１は、スタッカ使用要求や印刷ページの印刷要求を制御装置１０から受信する。また、例えば、通信部２０１は、スタッカ使用応答を制御装置１０に送信する。
【００６４】
使用応答処理部２０２は、スタッカ使用要求を送信するための処理を行う。ここで、使用応答処理部２０２は、応答判定部２１１と、応答作成部２１２とを有する。
【００６５】
応答判定部２１１は、「継続」又は「保留」のいずれの応答結果を示すスタッカ使用応答を作成するかを判定する。すなわち、応答判定部２１１は、後述する印刷ページテーブル２０００及び混在可否テーブル３０００を参照して、排紙先のスタッカ３０が異なるか否か、及び排紙先のスタッカ３０が用紙サイズの混在を許すか否かを判定する。これにより、応答判定部２１１は、「継続」又は「保留」のいずれの応答結果を示すスタッカ使用応答を作成するかを判定する。
【００６６】
応答作成部２１２は、応答判定部２１１による判定結果に応じて、「継続」又は「保留」のいずれかの応答結果を示すスタッカ使用応答を作成する。
【００６７】
印刷処理部２０３は、通信部２０１を介して、印刷ページの印刷要求を受信すると、当該印刷要求に含まれる印刷ページを印刷媒体に印刷して、印刷物を作成する。そして、印刷処理部２０３は、作成した印刷物が、排紙先のスタッカ３０に排紙されるように制御する。
【００６８】
また、印刷処理部２０３は、制御装置１０から受信した印刷ページの印刷要求に含まれる印刷ページ毎に、印刷ページテーブル２０００を作成して、印刷ページテーブル記憶部２０５に記憶させる。なお、印刷ページテーブル２０００とは、印刷ページに関する情報（例えば、ジョブＩＤやページＩＤ、排紙先のスタッカ３０、用紙サイズ等）が格納されているテーブルである。
【００６９】
スタッカ監視部２０４は、スタッカ３０の状態を監視する。スタッカ監視部２０４は、スタッカ３０の状態を監視することで、例えば、当該スタッカ３０に積載されている印刷物が取り除かれたことを検知する。
【００７０】
印刷ページテーブル記憶部２０５は、印刷ページ毎に、印刷ページテーブル２０００を記憶する。なお、印刷ページテーブル２０００の詳細については後述する。
【００７１】
混在可否テーブル記憶部２０６は、スタッカ３０が用紙サイズの混在を許すか否かを管理している混在可否テーブル３０００を記憶する。なお、混在可否テーブル３０００の詳細については後述する。
【００７２】
＜処理の詳細＞
次に、本実施形態に係る印刷システム１の処理の詳細について説明する。以降では、ユーザが端末装置４０を操作して印刷ジョブを作成することにより、印刷装置２０で印刷を行う処理について、図５を参照しながら説明する。図５は、本実施形態に係る印刷装置２０で印刷するための全体処理の一例を示すシーケンス図である。
【００７３】
端末装置４０の入力受付部４０１は、ユーザによる印刷指示操作の入力を受け付ける（ステップＳ５０１）。なお、ユーザは、例えば、端末装置４０にインストールされた各種アプリケーションにおいて、印刷を所望する電子データを指定した上で、印刷の開始操作を行うことで、印刷指示操作を行うことができる。
【００７４】
次に、端末装置４０のジョブ処理部４０２は、入力受付部４０１により印刷指示操作が受け付けられると、ユーザにより指定された電子データを印刷するための印刷ジョブを作成する（ステップＳ５０２）。
【００７５】
次に、端末装置４０のジョブ処理部４０２は、通信部４０４を介して、ジョブの開始要求を制御装置１０に送信する（ステップＳ５０３）。そして、端末装置４０は、通信部４０４を介して、ジョブの開始要求に対する応答を制御装置１０から受信する。
【００７６】
その後、端末装置４０は、ユーザにより指定された電子データに含まれる各印刷対象ページについて、印刷要求を順に制御装置１０に送信する。すなわち、例えば、ユーザにより指定された電子データにＮページの印刷対象ページが含まれる場合、端末装置４０は、１ページ目の印刷対象ページの印刷要求からＮページ目の印刷対象ページの印刷要求までを順に制御装置１０に送信する。以降では、端末装置４０が、ｎ（１≦ｎ≦Ｎ）ページ目の印刷対象ページの印刷要求を制御装置１０に送信する場合について説明する。
【００７７】
端末装置４０のジョブ処理部４０２は、通信部４０４を介して、ｎページ目の印刷対象ページの印刷要求を制御装置１０に送信する（ステップＳ５０４）。なお、印刷対象ページの印刷要求には、ｎページ目の印刷対象ページと、印刷対象ページに関する情報（例えば、ジョブＩＤやページＩＤ、排紙先のスタッカ３０、用紙サイズ等）とが含まれる。
【００７８】
制御装置１０の描画部１０２は、通信部１０１を介して、印刷対象ページの印刷要求を受信すると、当該印刷要求に含まれる印刷対象ページに関する情報に基づいて、印刷対象ページテーブル１０００を作成する。そして、描画部１０２は、作成した印刷対象ページテーブル１０００を印刷対象ページテーブル記憶部１０５に記憶させる（ステップＳ５０５）。
【００７９】
ここで、印刷対象ページテーブル１０００について、図６を参照しながら説明する。図６は、印刷対象ページテーブル１０００の一例を示す図である。
【００８０】
図６に示すように、印刷対象ページテーブル１０００には、ジョブＩＤ、ページＩＤ、使用排紙トレイ、用紙サイズ等のデータ項目が含まれる。ジョブＩＤは、端末装置４０により作成された印刷ジョブを識別する情報である。ページＩＤは、印刷対象の電子データに含まれる印刷対象ページを識別する情報（例えば、ページ番号等）である。使用排紙トレイは、印刷物の排紙先のスタッカ３０を示す情報（例えば、スタッカ３０のＩＤ等）である。用紙サイズは、印刷媒体のサイズ（例えば、Ａ４やＡ３等）である。
【００８１】
なお、印刷対象ページテーブル１０００には、上記以外にも、種々のデータ項目が含まれていても良い。すなわち、印刷対象ページテーブル１０００には、例えば、両面印刷するか否かを示すデータ項目、テスト印刷か否かを示すデータ項目、テキスト処理（エッジスムージング等）を設定するデータ項目等が含まれていても良い。また、印刷対象ページテーブル１０００には、例えば、集約印刷するか否かを示すデータ項目、後処理（バインドやパンチ等）を設定するデータ項目等が含まれていても良い。
【００８２】
このように、本実施形態に係る制御装置１０は、ｎページ目の印刷対象ページの印刷要求を受信すると、当該ｎページ目の印刷対象ページに対応する印刷対象ページテーブル１０００を作成して、印刷対象ページテーブル記憶部１０５に記憶させる。これにより、印刷対象ページテーブル記憶部１０５には、印刷対象の電子データに含まれる印刷対象ページ毎に、印刷対象ページテーブル１０００が記憶される。
【００８３】
次に、制御装置１０の要求判定部１１１は、スタッカ使用要求を印刷装置２０に送信するか否かを判定する（ステップＳ５０６）。
【００８４】
すなわち、要求判定部１１１は、印刷対象ページテーブル１０００を参照して、ｎページ目の印刷対象ページと、ｎ−１ページ目の印刷対象ページとの排紙先のスタッカ３０が異なるか否か、及び用紙サイズが異なるか否かを判定する。これにより、要求判定部１１１は、スタッカ使用要求を印刷装置２０に送信するか否かを判定する。なお、本ステップにおけるスタッカ使用要求の送信判定処理の詳細については後述する。
【００８５】
制御装置１０の要求作成部１１２は、要求判定部１１１によりスタッカ使用要求を印刷装置２０に送信すると判定された場合、スタッカ使用要求を作成する（ステップＳ５０７）。ここで、要求作成部１１２は、上記のステップＳ５０５で作成された印刷対象ページテーブル１０００の使用排紙トレイ及び用紙サイズが含まれるスタッカ使用要求を作成する。
【００８６】
次に、制御装置１０の要求作成部１１２は、通信部１０１を介して、スタッカ使用要求を印刷装置２０に送信する（ステップＳ５０８）。
【００８７】
このように、本実施形態に係る制御装置１０は、ｎページ目の印刷対象ページと、ｎ−１ページ目の印刷対象ページとの排紙先のスタッカ３０が異なるか否か、及び用紙サイズが異なるか否かを判定する。そして、本実施形態に係る制御装置１０は、当該判定結果に応じて、排紙先のスタッカ３０が異なる場合や、排紙先のスタッカが同一であり、かつ、用紙サイズが異なる場合に、スタッカ使用要求を印刷装置２０に送信する。
【００８８】
次に、印刷装置２０の応答判定部２１１は、通信部２０１を介して、スタッカ使用要求を受信すると、「継続」又は「保留」のいずれの応答結果を示すスタッカ使用応答を作成するかを判定する。
【００８９】
すなわち、応答判定部２１１は、スタッカ使用要求に含まれる使用排紙トレイ（排紙先のスタッカ３０）が用紙サイズの混在を許すか否か、及びｎ−１ページ目の印刷物と排紙先のスタッカ３０が異なるか否かを判定する。これにより、応答判定部２１１は、「継続」又は「保留」のいずれの応答結果を示すスタッカ使用応答を作成するかを判定する。
【００９０】
そして、印刷装置２０の応答作成部２１２は、応答判定部２１１の判定結果に応じて、スタッカ使用応答を作成する（ステップＳ５０９）。なお、本ステップにおけるスタッカ使用応答の作成処理については後述する。
【００９１】
次に、印刷装置２０の応答作成部２１２は、通信部２０１を介して、スタッカ使用応答を制御装置１０に送信する（ステップＳ５１０）。
【００９２】
次に、制御装置１０の結果判定部１１３は、通信部１０１を介して、スタッカ使用応答を受信すると、当該スタッカ使用応答が「継続」又は「保留」のいずれであるかを判定する（ステップＳ５１１）。
【００９３】
ステップＳ５１１において、スタッカ使用応答が「保留」であると判定された場合、制御装置１０のＵＩ制御部１０４は、異なる用紙サイズの印刷物がスタッカ３０に混在することを防止させるための警告画面を表示する（ステップＳ５１２）。なお、ＵＩ制御部１０４は、警告画面を表示すると、警告画面が表示されていることを示す表示中フラグを「ＯＮ」に設定する。
【００９４】
次に、制御装置１０のＵＩ制御部１０４は、警告画面を表示すると、ジョブ実行の中断要求を端末装置４０に送信する（ステップＳ５１３）。端末装置４０のジョブ処理部４０２は、ジョブ実行の中断要求を受信すると、印刷対象ページの印刷要求の送信を中断する。これにより、本実施形態に係る印刷システム１では、制御装置１０に警告画面が表示されている間、印刷の実行を中断することができる。
【００９５】
ここで、ＵＩ制御部１０４により表示される警告画面Ｇ１００について、図７を参照しながら説明する。図７は、警告画面Ｇ１００の一例を示す図である。
【００９６】
図７に示すように、警告画面Ｇ１００には、異なる用紙サイズの印刷物がスタッカ３０に混在することを警告するためのメッセージＧ１１０が表示されている。これにより、ユーザは、スタッカ３０から印刷物を取り除くことで、異なる用紙サイズの印刷物がスタッカ３０に混在することを防止することができる。
【００９７】
なお、警告画面Ｇ１００には、印刷ジョブを中止させるためのジョブ中止ボタンＧ１２０も含まれる。ユーザは、ジョブ中止ボタンＧ１２０を押下することで、印刷ジョブを中止させることができる。
【００９８】
また、図７に示す警告画面Ｇ１００は、後述するように、端末装置４０に表示されていても良い。
【００９９】
図５に戻る。ステップＳ５１１において、スタッカ使用応答が「継続」であると判定された場合、制御装置１０の描画部１０２は、上記のステップＳ５０５で受信した印刷要求に含まれる印刷対象データをＲＩＰ処理して、印刷ページを作成する（ステップＳ５１４）。
【０１００】
次に、制御装置１０の描画部１０２は、通信部１０１を介して、印刷ページの印刷要求を印刷装置２０に送信する（ステップＳ５１５）。ここで、印刷ページの印刷要求には、上記のステップＳ５１５で作成された印刷ページと、印刷ページに関する情報（例えば、ジョブＩＤやページＩＤ、排紙先のスタッカ３０、用紙サイズ等）とが含まれる。なお、印刷ページに関する情報は、例えば、印刷対象ページテーブル１０００に含まれる各種の情報から作成される。
【０１０１】
印刷装置２０の印刷処理部２０３は、通信部２０１を介して、印刷ページの印刷要求を受信すると、当該印刷要求に含まれる印刷ページに関する情報に基づいて、印刷ページテーブル２０００を作成する。そして、印刷処理部２０３は、作成した印刷ページテーブル２０００を印刷ページテーブル記憶部２０５に記憶させる（ステップＳ５１６）。
【０１０２】
ここで、印刷ページテーブル２０００について、図８を参照しながら説明する。図８は、印刷ページテーブル２０００の一例を示す図である。
【０１０３】
図８に示すように、印刷ページテーブル２０００には、ジョブＩＤ、ページＩＤ、使用排紙トレイ、用紙サイズ等のデータ項目が含まれる。これらのデータ項目は、印刷対象ページテーブル１０００と同様である。
【０１０４】
なお、印刷ページテーブル２０００には、上記以外にも、種々のデータ項目が含まれていても良い。すなわち、印刷ページテーブル２０００には、例えば、使用する給紙トレイを示すデータ項目、両面印刷するか否かを示すデータ項目、印刷データのデータサイズを示すデータ項目等が含まれていても良い。また、印刷ページテーブル２０００には、例えば、ＣＭＹＫ毎に、印刷データのデータサイズを示すデータ項目等が含まれていても良い。
【０１０５】
このように、本実施形態に係る印刷装置２０は、ｎページ目の印刷ページの印刷要求を受信すると、当該ｎページ目の印刷ページに対応する印刷ページテーブル２０００を作成して、印刷ページテーブル記憶部２０５に記憶させる。これにより、印刷ページテーブル記憶部２０５には、印刷対象の電子データに含まれる印刷対象ページ毎に、印刷ページテーブル２０００が記憶される。
【０１０６】
次に、印刷装置２０の印刷処理部２０３は、印刷データに関する情報に含まれる用紙サイズや使用排紙トレイ等に従って、印刷データを印刷媒体に印刷した印刷物を作成する。そして、印刷装置２０の印刷処理部２０３は、作成した印刷物が排紙先のスタッカ３０に排紙されるように制御する（ステップＳ５１７）。
【０１０７】
これにより、本実施形態に係る印刷システム１では、印刷物が作成され、スタッカ３０に排紙及び積載される。なお、印刷装置２０の印刷処理部２０３は、印刷物の作成及び排紙が完了すると、ｎページ目の印刷対象ページの印刷が完了したことを示す通知を制御装置１０に送信する。
【０１０８】
本実施形態に係る印刷システム１は、上記のステップＳ５０４〜ステップＳ５１７の処理を、各ｎ（１≦ｎ≦Ｎ）ページ目の印刷対象ページに対して実行する。そして、全てのページの印刷対象ページに対して上記のステップＳ５０４〜ステップＳ５１７の処理が実行されると、制御装置１０は、ジョブの終了通知を端末装置４０に送信する（ステップＳ５１８）。
【０１０９】
以上により、本実施形態に係る印刷システム１は、印刷対象の電子データに含まれる各ページの印刷対象データを印刷することができる。このとき、本実施形態に係る印刷システム１は、ｎページ目とｎ−１ページ目とで印刷物の用紙サイズが異なる場合で、かつ、排紙先のスタッカ３０が用紙サイズの混在を許可していない場合に、所定の警告画面を表示する。
【０１１０】
これにより、ユーザは、排紙先のスタッカ３０に異なる用紙サイズの印刷物が混在してしまうことを防止させることができる。
【０１１１】
ここで、図５のステップＳ５０６におけるスタッカ使用要求の送信判定処理について、図９を参照しながら説明する。図９は、本実施形態に係るスタッカ使用要求の送信判定処理の一例を示すフローチャートである。
【０１１２】
まず、要求判定部１１１は、印刷対象ページが１ページ目であるか否かを判定する（ステップＳ９０１）。すなわち、要求判定部１１１は、例えば、図５のステップＳ５０５で作成した印刷対象ページテーブル１０００のページＩＤを参照することで、印刷対象ページが１ページ目であるか否かを判定する。
【０１１３】
ステップＳ９０１において、印刷対象ページが１ページ目でないと判定された場合、要求判定部１１１は、ｎページ目とｎ−１ページ目の印刷対象ページテーブル１０００を印刷対象ページテーブル記憶部１０５から取得する（ステップＳ９０２）。すなわち、要求判定部１１１は、ｎページ目の印刷対象ページに対応する印刷対象ページテーブル１０００と、ｎ−１ページ目の印刷対象ページに対応する印刷対象ページテーブル１０００とを取得する。
【０１１４】
次に、要求判定部１１１は、ｎページ目とｎ−１ページ目とで使用排紙トレイが異なるか否かを判定する（ステップＳ９０３）。すなわち、要求判定部１１１は、ｎページ目の印刷対象ページテーブル１０００の使用排紙トレイと、ｎ−１ページ目の印刷対象ページテーブル１０００の使用排紙トレイとが異なるか否かを判定する。
【０１１５】
ステップＳ９０３において、ｎページ目とｎ−１ページ目とで使用排紙トレイが異ならないと判定された場合、要求判定部１１１は、ｎページ目とｎ−１ページ目とで用紙サイズが異なるか否かを判定する（ステップＳ９０４）。すなわち、要求判定部１１１は、ｎページ目の印刷対象ページテーブル１０００の用紙サイズと、ｎ−１ページ目の印刷対象ページテーブル１０００の用紙サイズとが異なるか否かを判定する。
【０１１６】
ステップＳ９０４において、ｎページ目とｎ−１ページ目とで用紙サイズが異ならないと判定された場合、要求判定部１１１は、スタッカ使用要求の送信を不要と判定する（ステップＳ９０５）。このように、要求判定部１１１は、ｎページ目とｎ−１ページ目の印刷対象ページ間で使用排紙トレイ及び用紙サイズが同一である場合、スタッカ使用要求の送信を不要と判定する。
【０１１７】
一方、印刷対象ページが１ページ目である場合、ｎページ目とｎ−１ページ目とで使用排紙トレイが異なる場合、又はｎページ目とｎ−１ページ目とで用紙サイズが異なる場合、要求判定部１１１は、スタッカ使用要求の送信が必要と判定する（ステップＳ９０６）。このように、要求判定部１１１は、最初にスタッカ３０を使用する場合や、ｎページ目とｎ−１ページ目の印刷対象ページ間で使用排紙トレイ又は用紙サイズのいずれか一方が異なる場合に、スタッカ使用要求の送信が必要と判定する。
【０１１８】
以上のように、本実施形態に係る制御装置１０は、スタッカ使用要求の送信が必要か否かを判定することができる。なお、本実施形態に係る制御装置１０は、図９のスタッカ使用要求の送信判定処理における判定結果に応じて、印刷装置２０にスタッカ使用要求を送信するものとしたが、これに限られない。制御装置１０は、例えば、各ページの印刷対象ページ毎に、スタッカ使用要求を印刷装置２０に送信しても良い。
【０１１９】
次に、図５のステップＳ５０９におけるスタッカ使用応答の作成処理について、図１０を参照しながら説明する。図１０は、スタッカ使用応答の作成処理の一例を示すフローチャートである。
【０１２０】
まず、応答判定部２１１は、少なくとも１つの印刷ページテーブル２０００が印刷ページテーブル記憶部２０５に記憶されているか否かを判定する（ステップＳ１００１）。言い換えれば、応答判定部２１１は、印刷対象ページが１ページ目であるか否かを判定する。
【０１２１】
ステップＳ１００１において、印刷ページテーブル２０００が記憶されていると判定された場合、応答判定部２１１は、最新ページの印刷ページテーブル２０００を印刷ページテーブル記憶部２０５から取得する（ステップＳ１００２）。すなわち、応答判定部２１１は、例えば、ページＩＤに設定されたページ番号が最大の印刷ページテーブル２０００を印刷ページテーブル記憶部２０５から取得する。
【０１２２】
次に、応答判定部２１１は、制御装置１０から受信したスタッカ使用要求に含まれる使用排紙トレイと、上記のステップＳ１００２で取得した印刷ページテーブル２０００の使用排紙トレイとが異なるか否かを判定する（ステップＳ１００３）。
【０１２３】
ステップＳ１００３において、使用排紙トレイが異なると判定された場合、応答判定部２１１は、混在可否テーブル記憶部２０６から混在可否テーブル３０００を取得する（ステップＳ１００４）。
【０１２４】
ここで、混在可否テーブル３０００について、図１１を参照しながら説明する。図１１は、本実施形態に係る混在可否テーブル３０００の一例を示す図である。
【０１２５】
図１１に示すように、混在可否テーブル３０００には、スタッカ３０毎に、用紙サイズの混在を許すか否かを示す情報（「ＴＲＵＥ」又は「ＦＡＬＳＥ」）が含まれる排紙トレイ情報が格納されている。
【０１２６】
すなわち、混在可否テーブル３０００には、例えば、スタッカ３０−１を示す排紙トレイ１と、用紙サイズの混在を許すことを示すＴＲＵＥとが関連付けられた排紙トレイ情報が格納されている。同様に、混在可否テーブル３０００には、例えば、スタッカ３０−２を示す排紙トレイ２と、用紙サイズの混在を許さないことを示すＦＡＬＳＥとが関連付けられた排紙トレイ情報が格納されている。
【０１２７】
このように、混在可否テーブル３０００には、スタッカ３０毎に、当該スタッカ３０が用紙サイズの混在を許すか否かを示す情報が関連付けられた排紙トレイ情報が格納されている。
【０１２８】
図１０に戻る。応答判定部２１１は、混在可否テーブル３０００を参照して、制御装置１０から受信したスタッカ使用要求に含まれる使用排紙トレイ（すなわち、排紙先のスタッカ３０）が用紙サイズの混在を許すか否かを判定する（ステップＳ１００５）。
【０１２９】
ステップＳ１００５において、用紙サイズの混在を許さないと判定された場合、応答作成部２１２は、応答結果が「保留」を示すスタッカ使用応答を作成する（ステップＳ１００６）。このように、本実施形態に係る印刷装置２０は、ｎページ目とｎ−１ページ目とで排紙先のスタッカ３０が異ならない場合で、かつ、当該スタッカ３０が用紙サイズの混在を許していない場合、応答結果が「保留」を示すスタッカ使用応答を作成する。
【０１３０】
一方、印刷対象ページが１ページ目である場合、排紙先のスタッカ３０が異なる場合、又は排紙先のスタッカ３０で用紙サイズの混在を許している場合、応答作成部２１２は、応答結果が「継続」を示すスタッカ使用応答を作成する（ステップＳ１００７）。このように、本実施形態に係る印刷装置２０は、ｎページ目とｎ−１ページ目とで排紙先のスタッカ３０が異なる場合や排紙先のスタッカ３０で用紙サイズの混在を許している場合には、応答結果が「継続」を示すスタッカ使用応答を作成する。
【０１３１】
以上のように、本実施形態に係る印刷装置２０は、スタッカ使用要求を受信した場合に、排紙先のスタッカ３０が異なるか否か、及び排紙先のスタッカ３０で用紙サイズの混在を許しているか否かを判定する。これにより、本実施形態に係る印刷装置２０は、判定結果に応じたスタッカ使用応答を制御装置１０に送信することができる。
【０１３２】
ここで、異なる用紙サイズの印刷物がスタッカ３０に混在することを防止させるための警告画面を端末装置４０に表示させる場合の処理について、図１２を参照しながら説明する。図１２は、本実施形態に係る印刷装置２０で印刷するための全体処理の他の例を示すシーケンス図である。なお、図１２のステップＳ５０１〜ステップＳ５１１及びステップＳ５１４〜ステップＳ５１８の処理は、図５と同様であるため、その説明を省略する。
【０１３３】
ステップＳ５１１において、スタッカ使用応答が「保留」であると判定された場合、制御装置１０の表示要求部１１４は、通信部１０１を介して、警告画面の表示要求を端末装置４０に送信する（ステップＳ１２０１）。なお、表示要求部１１４は、警告画面の表示要求を端末装置４０に送信すると、端末装置４０に警告画面が表示されていることを示す表示中フラグを「ＯＮ」に設定する。
【０１３４】
端末装置４０の表示制御部４０３は、通信部４０４を介して、警告画面の表示要求を受信すると、異なる用紙サイズの印刷物がスタッカ３０に混在することを防止させるための警告画面を表示させる（ステップＳ１２０２）。このとき、端末装置４０のジョブ処理部４０２は、警告画面が表示されている間、印刷対象ページの印刷要求の送信を中断する。これにより、本実施形態に係る印刷システム１では、警告画面が端末装置４０に表示されている間、印刷の実行を中断することができる。
【０１３５】
このように、本実施形態に係る印刷システム１は、ｎページ目とｎ−１ページ目とで印刷物の用紙サイズが異なる場合で、かつ、排紙先のスタッカ３０が用紙サイズの混在を許可していない場合に、所定の警告画面を端末装置４０に表示しても良い。
【０１３６】
ここで、図５のステップＳ５１２の処理が行われた結果、図７に示す警告画面Ｇ１００が制御装置１０に表示された場合に、スタッカ３０から印刷物を取り除いた場合における処理について、図１２を参照しながら説明する。図１３は、警告画面Ｇ１００が表示されている場合に、排紙先のスタッカ３０から印刷物を取り除いた後の処理の一例を示すシーケンス図である。
【０１３７】
例えば、ユーザにより、排紙先のスタッカ３０に積載されている印刷物が取り除かれると、スタッカ監視部２０４は、当該スタッカ３０に積載されている印刷物が取り除かれたことを検知する（ステップＳ１３０１）。
【０１３８】
次に、スタッカ監視部２０４は、排紙先のスタッカ３０に積載されている印刷物が取り除かれたことを検知すると、応答結果が「継続」を示すスタッカ使用応答を作成する。そして、スタッカ監視部２０４は、通信部２０１を介して、作成したスタッカ使用応答を制御装置１０に送信する（ステップＳ１３０２）。
【０１３９】
制御装置１０のＵＩ制御部１０４は、通信部１０１を介して、応答結果が「継続」を示すスタッカ使用応答を受信すると、図７に示す警告画面Ｇ１００の表示を解除する（ステップＳ１３０３）。なお、ＵＩ制御部１０４は、警告画面の表示を解除すると、表示中フラグを「ＯＦＦ」に設定する。
【０１４０】
次に、制御装置１０のＵＩ制御部１０４は、警告画面の表示を解除すると、ジョブ実行の再開要求を端末装置４０に送信する（ステップＳ１３０４）。端末装置４０のジョブ処理部４０２は、ジョブ実行の再開要求を受信すると、ステップＳ５０４の処理が実行される。これにより、端末装置４０は、次のページの印刷対象ページを送信することができるようになる。
【０１４１】
このように、本実施形態に係る端末装置４０は、制御装置１０に警告画面が表示されている間は、印刷対象ページの送信を抑止することで、印刷ジョブを一時中断させることができる。
【０１４２】
ここで、図１２のステップＳ１２０２の処理が行われた結果、図７に示す警告画面Ｇ１００が端末装置４０に表示された場合に、スタッカ３０から印刷物を取り除いた場合における処理について、図１４を参照しながら説明する。図１４は、警告画面Ｇ１００が表示されている場合に、排紙先のスタッカ３０から印刷物を取り除いた後の処理の他の例を示すシーケンス図である。なお、図１４のステップＳ１３０１〜ステップＳ１３０２の処理は、図１３と同様であるため、その説明を省略する。
【０１４３】
ステップＳ１３０２に続いて、制御装置１０の表示要求部１１４は、通信部１０１を介して、応答結果が「継続」を示すスタッカ使用応答を受信すると、警告画面の解除要求を端末装置４０に送信する（ステップＳ１４０１）。なお、表示要求部１１４は、応答結果が「継続」を示すスタッカ使用応答を受信した場合、表示中フラグが「ＯＮ」であるときに、警告画面の解除要求を端末装置４０に送信すれば良い。また、表示要求部１１４は、警告画面の解除要求を端末装置４０に送信すると、表示中フラグを「ＯＦＦ」に設定する。
【０１４４】
そして、端末装置４０の表示制御部４０３は、警告画面の解除要求を受信すると、図７に示す警告画面Ｇ１００の表示を解除する（ステップＳ１４０２）。これにより、端末装置４０では、ステップＳ５０４の処理が実行され、次のページの印刷対象ページを送信することができるようになる。
【０１４５】
このように、本実施形態に係る端末装置４０は、警告画面を表示している間は、印刷対象ページの送信を抑止することで、印刷ジョブを一時中断させることができる。
【０１４６】
以上のように、本実施形態に係る印刷システム１では、警告画面が制御装置１０又は端末装置４０に表示されている間、印刷ジョブを一時中断させることで、用紙サイズの異なる印刷物がスタッカ３０（用紙サイズの混在を許していないスタッカ３０）に混在してしまう事態を防止することができる。
【０１４７】
［第二の実施形態］
次に、第二の実施形態について説明する。第一の実施形態では、用紙サイズが異なり、かつ、用紙サイズの混在を許していないスタッカ３０が排紙先である場合に、印刷ジョブを一時中断させる場合について説明した。しかしながら、例えば、用紙サイズが頻繁に切り替わるような印刷業務では、スタッカ３０内の用紙を取り除く作業が頻繁に発生し、印刷業務の効率が低下する場合がある。
【０１４８】
そこで、第三の実施形態では、用紙サイズが異なる場合であっても、前ページの用紙サイズとの差分が所定の基準値以内である場合には、印刷ジョブを中断させない場合について説明する。
【０１４９】
なお、第二の実施形態では、主に、第一の実施形態との相違点について説明し、第一の実施形態と実質的に同様の機能構成を有する箇所及び実質的に同様の処理を実行する箇所は、適宜、その説明を省略する。
【０１５０】
＜機能構成＞
まず、本実施形態に係る制御装置１０、印刷装置２０、及び端末装置４０の機能構成について、図１５を参照しながら説明する。図１５は、本実施形態に係る制御装置１０、印刷装置２０、及び端末装置４０の一例の機能構成を示す図である。
【０１５１】
図１５に示すように、本実施形態に係る印刷装置２０の使用応答処理部２０２は、応答判定部２１１Ａを有する。応答判定部２１１Ａは、印刷ページテーブル２０００と、後述する混在可否テーブル３０００Ａとを参照して、更に、前ページの用紙サイズとの差分が所定の基準値以内であるか否かを判定する。
【０１５２】
また、本実施形態に係る印刷装置２０は、更に、設定部２０７を有する。設定部２０７は、制御装置１０からの要求に応じて、混在可否テーブル記憶部２０６に記憶されている混在可否テーブル３０００Ａに格納されている排紙トレイ情報を更新する。ここで、本実施形態に係る混在可否テーブル３０００Ａに格納されている排紙トレイ情報には、後述するように、用紙幅の基準値を示す情報と、用紙長の基準値を示す情報とが含まれる。以降では、用紙幅の基準値と、用紙長の基準値とを、単に、「基準値」とも表す。
【０１５３】
図１５に示すように、本実施形態に係る制御装置１０は、更に、設定要求部１０６を有する。設定要求部１０６は、例えば、用紙幅の基準値と、用紙長の基準値とを設定するための設定要求を印刷装置２０に送信する。
【０１５４】
＜処理の詳細＞
次に、本実施形態に係る印刷システム１の処理の詳細について説明する。本実施形態では、図５及び図１２のステップＳ５０７（スタッカ使用応答の作成処理）が第一の実施形態と異なる。このため、本実施形態に係るスタッカ使用応答の作成処理について、図１６を参照しながら説明する。図１６は、本実施形態に係るスタッカ使用応答の作成処理の一例を示すフローチャートである。なお、図１６のステップＳ１００１〜ステップＳ１００３及びステップＳ１００６〜ステップｓ１００７の処理は、図１０と同様であるため、その説明を省略する。
【０１５５】
ステップＳ１００３において、使用排紙トレイが異なると判定された場合、応答判定部２１１Ａは、混在可否テーブル記憶部２０６から混在可否テーブル３０００Ａを取得する（ステップＳ１６０１）。
【０１５６】
ここで、混在可否テーブル３０００Ａについて、図１７を参照しながら説明する。図１７は、本実施形態に係る混在可否テーブル３０００Ａの一例を示す図である。
【０１５７】
図１７に示すように、混在可否テーブル３０００Ａには、スタッカ３０毎に、用紙サイズの混在を許すか否かを示す情報（「ＴＲＵＥ」又は「ＦＡＬＳＥ」）と、用紙幅の基準値を示す情報と、用紙長の基準値を示す情報とが含まれる排紙トレイ情報が格納されている。
【０１５８】
すなわち、混在可否テーブル３０００Ａには、例えば、スタッカ３０−１を示す排紙トレイ１と、用紙サイズの混在を許すことを示すＴＲＵＥと、用紙幅の基準値「ｘ１」と、用紙長の基準値「ｙ１」とが関連付けられた排紙トレイ情報が格納されている。同様に、混在可否テーブル３０００Ａには、例えば、スタッカ３０−２を示す排紙トレイ２と、用紙サイズの混在を許さないことを示すＦＡＬＳＥと、用紙幅の基準値「ｘ２」と、用紙長の基準値「ｙ２」とが関連付けられた排紙トレイ情報が格納されている。
【０１５９】
このように、混在可否テーブル３０００Ａには、スタッカ３０毎に、当該スタッカ３０が用紙サイズの混在を許すか否かを示す情報と、用紙幅の基準値を示す情報と、用紙長の基準値を示す情報とが関連付けられた排紙トレイ情報が格納されている。
【０１６０】
図１６に戻る。応答判定部２１１Ａは、混在可否テーブル３０００Ａを参照して、制御装置１０から受信したスタッカ使用要求に含まれる使用排紙トレイが用紙サイズの混在を許すか否かを判定する（ステップＳ１６０２）。
【０１６１】
ステップＳ１６０２において、用紙サイズの混在を許すと判定された場合、応答判定部２１１Ａは、ステップＳ１００７に進む。この場合、「継続」を示すスタッカ使用応答が作成される。
【０１６２】
一方、ステップＳ１６０２において、用紙サイズの混在を許さないと判定された場合、応答判定部２１２Ａは、混在可否テーブル３０００Ａを参照して、用紙幅差分が、スタッカ使用要求に含まれる使用排紙トレイの用紙幅基準値よりも大きいか否かを判定する。（ステップＳ１６０３）。ここで、用紙幅差分は、スタッカ使用要求に含まれる用紙サイズの幅と、ステップＳ１００２で取得した印刷ページテーブル２０００に含まれる用紙サイズの幅との差分である。
【０１６３】
ステップＳ１６０３において、用紙幅差分が用紙幅基準値よりも大きいと判定された場合、応答判定部２１２Ａは、ステップＳ１００６に進む。この場合、「保留」を示すスタッカ使用応答が作成される。
【０１６４】
一方、ステップＳ１６０３において、用紙幅差分が用紙幅基準値以下であると判定された場合、応答判定部２１２Ａは、混在可否テーブル３０００Ａを参照して、用紙長差分が、スタッカ使用要求に含まれる使用排紙トレイの用紙長基準値よりも大きいか否かを判定する。（ステップＳ１６０４）。ここで、用紙長差分は、スタッカ使用要求に含まれる用紙サイズの長さと、ステップＳ１００２で取得した印刷ページテーブル２０００に含まれる用紙サイズの長さとの差分である。
【０１６５】
ステップＳ１６０４において、用紙長差分が用紙長基準値よりも大きいと判定された場合、応答判定部２１２Ａは、ステップＳ１００６に進む。この場合、「保留」を示すスタッカ使用応答が作成される。
【０１６６】
一方、ステップＳ１６０２において、用紙長差分が用紙長基準値以下であると判定された場合、応答判定部２１２Ａは、ステップＳ１００７に進む。この場合、「継続」を示すスタッカ使用応答が作成される。
【０１６７】
以上のように、本実施形態に係る印刷装置２０は、スタッカ使用要求を受信した場合に、更に、前ページの用紙サイズとの差分が所定の基準値以内であるかを判定する。これにより、本実施形態に係る印刷装置２０は、用紙サイズが異なっている場合であっても、前ページの用紙サイズとの差分が所定の基準値以内である場合には、「継続」を示すスタッカ使用応答を制御装置１０に送信することができる。
【０１６８】
次に、混在可否テーブル３０００Ａに格納されている排紙トレイ情報の基準値を設定する処理について、図１８を参照しながら説明する。図１８は、基準値の設定処理の一例を示すシーケンス図である。
【０１６９】
まず、制御装置１０のＵＩ制御部１０４は、基準値を設定するための基準値設定画面を表示する（ステップＳ１８０１）。なお、ＵＩ制御部１０４は、例えば、基準値設定画面を表示するための表示操作がユーザにより行われた場合に、当該基準値設定画面を表示すれば良い。
【０１７０】
ここで、ＵＩ制御部１０４により表示される基準値設定画面Ｇ２００について、図１９を参照しながら説明する。図１９は、基準値設定画面Ｇ２００の一例を示す図である。
【０１７１】
図１９に示すように、基準値設定画面Ｇ２００には、排紙トレイ毎に、基準値設定ボタンＧ２１０と、基準値変更ボタンＧ２２１及びＧ２２２とが対応付けられている。ユーザは、基準値設定ボタンＧ２１０を押下する毎に、用紙幅基準値の設定と、用紙長基準値の設定とを切り替えることができる。そして、ユーザは、基準値変更ボタンＧ２２１又はＧ２２２を押下することで、用紙幅基準値又は用紙長基準値を変更することができる。
【０１７２】
なお、基準値変更ボタンＧ２２１が押下される毎に、用紙幅基準値又は用紙長基準値が所定の値ずつ増加する。一方で、基準値変更ボタンＧ２２２が押下される毎に、用紙幅基準値又は用紙長基準値が所定の値ずつ減少する。
【０１７３】
また、基準値設定画面Ｇ２００には、ＥＮＴＥＲボタンＧ２３０が含まれる。ユーザは、ＥＮＴＥＲボタンＧ２３０を押下することで、基準値の設定を反映させるための基準値設定操作を行うことができる。なお、基準値設定画面Ｇ２００では、基準値に加えて、排紙トレイ毎に、用紙混在可否を許可するか否かを設定することができる。
【０１７４】
次に、制御装置１０のＵＩ制御部１０４は、ユーザによる基準値設定操作を受け付ける（ステップＳ１８０２）。
【０１７５】
制御装置１０の設定要求部１０６は、ＵＩ制御部１０４が基準値設定操作を受け付けると、基準値の設定要求を印刷装置２０に送信する（ステップＳ１８０３）。なお、基準値の設定要求には、排紙トレイを識別する排紙トレイＮｏと、当該排紙トレイに対する基準値（用紙幅基準値及び用紙長基準値）とが含まれる。
【０１７６】
印刷装置２０の設定部２０７は、通信部２０１により基準値の設定要求を受信すると、混在可否テーブル３０００Ａに格納されている排紙トレイ情報を更新する（ステップＳ１８０４）。すなわち、設定部２０７は、当該設定要求に含まれる排紙トレイＮｏに対応する排紙トレイ情報の基準値を、当該設定要求に含まれる基準値で更新する。
【０１７７】
以上により、本実施形態に係る印刷システム１では、各排紙トレイの基準値（用紙幅基準値及び用紙長基準値）が、ユーザにより設定された値に更新される。
【０１７８】
［第三の実施形態］
次に、第三の実施形態について説明する。第一の実施形態及び第二の実施形態では、用紙サイズが異なるか否か、排紙先のスタッカ３０が用紙サイズの混在を許可しているか否か、前ページの用紙サイズとの差分が基準値以内であるか否か等の判定を印刷装置２０で行う場合について説明した。第三の実施形態では、これらの判定を制御装置１０で行う場合について説明する。
【０１７９】
なお、第三の実施形態では、主に、第二の実施形態との相違点について説明し、第二の実施形態と実質的に同様の機能構成を有する箇所及び実質的に同様の処理を実行する箇所は、適宜、その説明を省略する。
【０１８０】
＜機能構成＞
まず、本実施形態に係る制御装置１０、印刷装置２０、及び端末装置４０の機能構成について、図２０を参照しながら説明する。図２０は、本実施形態に係る制御装置、印刷装置、及び端末装置の一例の機能構成を示す図である。
【０１８１】
図２０に示すように、本実施形態に係る印刷装置２０は、使用応答処理部２０２を有しない。また、本実施形態に係る印刷装置２０は、更に、通知部２０８を有する。通知部２０８は、例えば、印刷装置２０の起動時や混在可否テーブル３０００Ａの更新時等に、混在可否テーブル３０００Ａに格納されている排紙トレイ情報を制御装置１０に通知する。
【０１８２】
図２０に示すように、本実施形態に係る制御装置１０は、使用要求処理部１０３を有しない。また、本実施形態に係る制御装置１０は、更に、テーブル更新部１０７と、使用判定処理部１０８と、混在可否テーブル記憶部１０９とを有する。
【０１８３】
テーブル更新部１０７は、印刷装置２０から通知された排紙トレイ情報で、混在可否テーブル記憶部１０９に記憶されている混在可否テーブル４０００を更新する。
【０１８４】
使用判定処理部１０８は、スタッカ３０を使用するための処理を行う。ここで、使用判定処理部１０８は、使用判定部１２１と、表示要求部１１４とを有する。使用判定部１２１は、用紙サイズが異なるか否か、排紙先のスタッカ３０が用紙サイズの混在を許可しているか否か、前ページの用紙サイズとの差分が基準値以内であるか否か等の判定を行う。
【０１８５】
混在可否テーブル記憶部１０９は、混在可否テーブル４０００を記憶する。混在可否テーブル４０００は、テーブル更新部１０７により更新されることで、印刷装置２０の混在可否テーブル記憶部２０６に記憶されている混在可否テーブル３０００Ａと同期される。
【０１８６】
＜処理の詳細＞
次に、本実施形態に係る印刷システム１の処理の詳細について説明する。まず、制御装置１０の混在可否テーブル記憶部１０９に記憶されている混在可否テーブル４０００と、印刷装置２０の混在可否テーブル記憶部２０６に記憶されている混在可否テーブル３０００Ａとを同期させる処理について、図２１を参照しながら説明する。図２１は、混在可否テーブル４０００の更新処理の一例を示すシーケンス図である。図２１に示す更新処理は、例えば、印刷装置２０が起動された場合や混在可否テーブル３０００Ａが更新された場合等に実行される。
【０１８７】
まず、印刷装置２０の通知部２０８は、通信部２０１により、混在可否テーブル記憶部２０６に記憶されている混在可否テーブル３０００Ａに格納されている排紙トレイ情報を制御装置１０に通知する（ステップＳ２１０１）。
【０１８８】
制御装置１０のテーブル更新部１０７は、通信部１０１により、排紙トレイ情報が通知されると、当該排紙トレイ情報で、混在可否テーブル記憶部１０９に記憶されている混在可否テーブル４０００を更新する（ステップＳ２１０２）。
【０１８９】
印刷装置２０及び制御装置１０は、上記のステップＳ２１０１及びステップＳ２１０２の処理を、混在可否テーブル３０００Ａに格納されている全ての排紙トレイ情報に対して実行する。なお、例えば、混在可否テーブル３０００Ａに格納されている排紙トレイ情報のうちの最後の排紙トレイ情報であることを示すフラグを上記の通知に含めることで、テーブル更新部１０７は、最後の排紙トレイ情報であることを検知することができる。又は、例えば、排紙トレイ情報に含まれる排紙トレイＮｏが所定の値である場合に、テーブル更新部１０７は、最後の排紙トレイ情報であることを検知しても良い。
【０１９０】
これにより、制御装置１０の混在可否テーブル記憶部１０９に記憶されている混在可否テーブル４０００と、印刷装置２０の混在可否テーブル記憶部２０６に記憶されている混在可否テーブル３０００Ａとが同期される。
【０１９１】
次に、ユーザが端末装置４０を操作して印刷ジョブを作成することにより、印刷装置２０で印刷を行う処理について、図２２を参照しながら説明する。図２２は、本実施形態に係る印刷装置２０で印刷するための全体処理の一例を示すシーケンス図である。なお、図２２のステップＳ５０１〜ステップＳ５０５及びステップＳ５１４〜ステップＳ５１８の処理は、図５と同様であるため、その説明を省略する。
【０１９２】
ステップＳ５０５に続いて、制御装置１０の使用判定部１２１は、スタッカ３０への排紙を継続するか否かを判定する（ステップＳ２２０１）。すなわち、使用判定部１２１は、用紙サイズが異なるか否か、排紙先のスタッカ３０が用紙サイズの混在を許可しているか否か、前ページの用紙サイズとの差分が基準値以内であるか否か等を判定する。なお、本ステップにおけるスタッカ使用判定処理の詳細については後述する。
【０１９３】
ステップＳ２２０１において、スタッカ使用判定処理の判定結果が「保留」である場合、制御装置１０のＵＩ制御部１０４は、図５のステップＳ５１２と同様に、警告画面を表示する（ステップＳ２２０２）。
【０１９４】
ここで、図２２のステップＳ２２０１におけるスタッカ使用判定処理について、図２３を参照しながら説明する。図２３は、スタッカ使用判定処理の一例を示すフローチャートである。
【０１９５】
まず、使用判定部１２１は、印刷対象ページが１ページ目であるか否かを判定する（ステップＳ２３０１）。すなわち、使用判定部１２１は、例えば、図２２のステップＳ５０５で作成した印刷対象ページテーブル１０００のページＩＤを参照することで、印刷対象ページが１ページ目であるか否かを判定する。
【０１９６】
ステップＳ２３０１において、印刷対象ページが１ページ目でないと判定された場合、使用判定部１２１は、ｎページ目とｎ−１ページ目の印刷対象ページテーブル１０００を印刷対象ページテーブル記憶部１０５から取得する（ステップＳ２３０２）。すなわち、使用判定部１２１は、ｎページ目の印刷対象ページに対応する印刷対象ページテーブル１０００と、ｎ−１ページ目の印刷対象ページに対応する印刷対象ページテーブル１０００とを取得する。
【０１９７】
次に、使用判定部１２１は、ｎページ目とｎ−１ページ目とで使用排紙トレイが異なるか否かを判定する（ステップＳ２３０３）。すなわち、使用判定部１２１は、ｎページ目の印刷対象ページテーブル１０００の使用排紙トレイと、ｎ−１ページ目の印刷対象ページテーブル１０００の使用排紙トレイとが異なるか否かを判定する。
【０１９８】
ステップＳ２３０３において、ｎページ目とｎ−１ページ目とで使用排紙トレイが異ならないと判定された場合、使用判定部１２１は、ｎページ目とｎ−１ページ目とで用紙サイズが異なるか否かを判定する（ステップＳ２３０４）。すなわち、使用判定部１２１は、ｎページ目の印刷対象ページテーブル１０００の用紙サイズと、ｎ−１ページ目の印刷対象ページテーブル１０００の用紙サイズとが異なるか否かを判定する。
【０１９９】
一方、ステップＳ２３０３において、ｎページ目とｎ−１ページ目とで使用排紙トレイが異なると判定された場合、使用判定部１２１は、ステップＳ２３１０に進む。この場合、「継続」を示す判定結果が作成される。
【０２００】
ステップＳ２３０４において、ｎページ目とｎ−１ページ目とで用紙サイズが異なると判定された場合、使用判定部１２１は、混在可否テーブル記憶部１０９から混在可否テーブル４０００を取得する（ステップＳ２３０５）。
【０２０１】
一方、ステップＳ２３０４において、ｎページ目とｎ−１ページ目とで用紙サイズが異ならないと判定された場合、使用判定部１２１は、ステップＳ２３１０に進む。この場合、「継続」を示す判定結果が作成される。
【０２０２】
次に、使用判定部１２１は、混在可否テーブル４０００を参照して、ｎページ目の印刷対象ページテーブル１０００に含まれる使用排紙トレイが用紙サイズの混在を許すか否かを判定する（ステップＳ２３０６）。
【０２０３】
ステップＳ２３０６において、用紙サイズの混在を許さないと判定された場合、使用判定部１２１は、混在可否テーブル４０００を参照して、用紙幅差分が、使用排紙トレイの用紙幅基準値よりも大きいか否かを判定する。（ステップＳ２３０７）。ここで、用紙幅差分は、ｎページ目の印刷対象ページテーブル１０００に含まれる用紙サイズの幅と、ｎ−１ページ目の印刷対象ページテーブル１０００に含まれる用紙サイズの幅との差分である。
【０２０４】
一方、ステップＳ２３０６において、用紙サイズの混在を許すと判定された場合、使用判定部１２１は、ステップＳ２３１０に進む。この場合、「継続」を示す判定結果が作成される。
【０２０５】
ステップＳ２３０７において、用紙幅差分が用紙幅基準値よりも大きいと判定された場合、使用判定部１２１は、ステップＳ２３０９に進む。この場合、「保留」を示す判定結果が作成される。
【０２０６】
一方、ステップＳ２３０７において、用紙幅差分が用紙幅基準値以下であると判定された場合、使用判定部１２１は、混在可否テーブル４０００を参照して、用紙長差分が、使用排紙トレイの用紙長基準値よりも大きいか否かを判定する。（ステップＳ２３０８）。ここで、用紙長差分は、ｎページ目の印刷対象ページテーブル１０００に含まれる用紙サイズの長さと、ｎ−１ページ目の印刷対象ページテーブル１０００に含まれる用紙サイズの長さとの差分である。
【０２０７】
ステップＳ２３０８において、用紙幅差分が用紙幅基準値よりも大きいと判定された場合、使用判定部１２１は、「保留」を示す判定結果を作成する（ステップＳ２３０９）。
【０２０８】
一方、ステップＳ２３０９において、用紙長差分が用紙長基準値以下であると判定された場合、使用判定部１２１は、「継続」を示す判定結果を作成する（ステップＳ２３１０）。
【０２０９】
以上のように、本実施形態に係る制御装置１０は、用紙サイズが異なるか否か、排紙先のスタッカ３０が用紙サイズの混在を許可しているか否か、前ページの用紙サイズとの差分が基準値以内であるか否か等の判定を行うことができる。
【０２１０】
＜まとめ＞
以上のように、第一の実施形態に係る印刷システム１では、用紙サイズの混在を許可していないスタッカ３０に対して、異なる用紙サイズの印刷物が排紙されることになる場合に、所定の警告画面を制御装置１０や端末装置４０に表示させて、印刷処理を中断させる。これにより、第一の実施形態に係る印刷システム１によれば、異なる用紙サイズの印刷物がスタッカ３０に混在してしまう事態を防止することができる。
【０２１１】
このため、第一の実施形態に係る印刷システム１によれば、例えば、異なる用紙サイズの印刷物がスタッカ３０に混在することによるユーザの印刷物の仕分け作業の負担増大を防止することができる。また、第一の実施形態に係る印刷システム１によれば、例えば、異なる用紙サイズの印刷物がスタッカ３０に混在することによるジャムの発生等を防止することができる。
【０２１２】
また、第二の実施形態に係る印刷システム１では、用紙サイズの混在を許可していないスタッカ３０に対して、異なる用紙サイズの印刷物が排紙されることになる場合であっても、前ページの用紙サイズとの差分が所定の基準値以内である場合には、印刷処理を中断させない。これにより、第二の実施形態に係る印刷システム１では、用紙サイズが頻繁に切り替わるような印刷業務において、印刷業務の効率が低下するのを防止することができる。
【０２１３】
更に、第三の実施形態に係る印刷システム１では用紙サイズが異なるか否か、排紙先のスタッカ３０が用紙サイズの混在を許可しているか否か、前ページの用紙サイズとの差分が基準値以内であるか否か等の判定を制御装置１０で行うことができる。これにより、第三の実施形態に係る印刷システム１では、制御装置１０と印刷装置２０との間の通信負荷を低減させることができる。
【０２１４】
なお、通信部１０１は、受信手段の一例である。要求判定部１１１は、判定手段の一例である。要求作成部１１２は、要求手段の一例である。ＵＩ制御部１０４は、表示手段の一例である。描画部１０２は、作成手段の一例である。
【０２１５】
以上、本発明の実施形態について詳述したが、本発明は斯かる特定の実施形態に限定されるものではなく、特許請求の範囲に記載された本発明の要旨の範囲内において、種々の変形や変更が可能である。
【符号の説明】
【０２１６】
１        印刷システム
１０      制御装置
２０      印刷装置
３０      スタッカ
４０      端末装置
１０１    通信部
１０２    描画部
１０３    使用要求処理部
１０４    ＵＩ制御部
１０５    印刷対象ページテーブル記憶部
１１１    要求判定部
１１２    要求作成部
１１３    結果判定部
１１４    表示要求部
２０１    通信部
２０２    使用応答処理部
２０３    印刷処理部
２０４    スタッカ監視部
２０５    印刷ページテーブル記憶部
２０６    混在可否テーブル記憶部
２１１    応答判定部
２１２    応答作成部
４０１    入力受付部
４０２    ジョブ処理部
４０３    表示制御部
４０４    通信部
【先行技術文献】
【特許文献】
【０２１７】
【特許文献１】特許第４２７７２０１号公報
【図１】
2018008511.tif 000003
【図２】
2018008511.tif 000004
【図３】
2018008511.tif 000005
【図４】
2018008511.tif 000006
【図５】
2018008511.tif 000007
【図６】
2018008511.tif 000008
【図７】
2018008511.tif 000009
【図８】
2018008511.tif 000010
【図９】
2018008511.tif 000011
【図１０】
2018008511.tif 000012
【図１１】
2018008511.tif 000013
【図１２】
2018008511.tif 000014
【図１３】
2018008511.tif 000015
【図１４】
2018008511.tif 000016
【図１５】
2018008511.tif 000017
【図１６】
2018008511.tif 000018
【図１７】
2018008511.tif 000019
【図１８】
2018008511.tif 000020
【図１９】
2018008511.tif 000021
【図２０】
2018008511.tif 000022
【図２１】
2018008511.tif 000023
【図２２】
2018008511.tif 000024
【図２３】
2018008511.tif 000025